(57)【要約】【課題】交番磁束を用いた安全且つ経済的な放射線除染装置を提供する。【解決手段】放射線除染装置は、平盤状の回転体１と、この回転体１に回転軸２ａを介して連結されたモータ２とから成り、回転体１の内部に、複数の永久磁石１ａを任意の間隔をおいて固定して構成し、回転体１を、モータ２に連結された回転軸２ａにより高速回転させ、放射線雰囲気中に交磁場を発生させる。【選択図】図１
2013044741.tif 000002
【特許請求の範囲】
【請求項１】
放射線汚染物質にＮ、Ｓの交互磁場を創出するために複数の永久磁石からなる電磁誘導体を備えた回転体と、当該回転体を回動するモータとから構成したことを特徴とする放射線除染装置。
【請求項２】
複数の永久磁石をＮ極、Ｓ極が同位相又は交互位相になるように平盤状に配置してなることを特徴とする放射線除染装置。
【請求項３】
駆動エネルギーが、商用電源又は太陽光発電、水力発電、風力発電等の自然エネルギー利用電源であることを特徴とする請求項１又は請求項２記載の放射線除染装置。
【発明の詳細な説明】
【技術分野】
【０００１】  本発明は、放射性物質で汚染された試料における除染を行う除染装置に関するものである。
【背景技術】
【０００２】  原子力プラント等の原子力関連施設の解体や廃棄に際しては、放射性物質で汚染された物質は、放射性汚染物質を除去した上で廃棄することが必要である。【０００３】  この汚染物質の除去方法としては、多くのものが知られている。例えば、被汚染試料の表面をブラスト処理等で物理的に研削又は研磨し、あるいは化学反応を利用して研削することによって除去する方法（特許文献１参照。）。表面が放射性物質で汚染された金属廃棄物を電解液の入った電解槽中で対極との間で通電処理して金属廃棄物表面を電気化学的に溶解させて放射性物質を除去する方法（特許文献２参照。）。オゾンを除染対象物に接触させて除染する方法（特許文献３参照。）。有機高分子繊維よりなるフィルター（特許文献４参照。）や活性炭を用いて放射性気体廃棄物の放射能を減衰させる装置（特許文献５参照。）が提案されている。
【先行技術文献】
【特許文献】
【０００４】
【特許文献１】特許第４３７０４６９号公報
【特許文献２】特許第２７０１６３１号公報
【特許文献３】特開２００７−３０９８６４号公報
【特許文献４】特許第４０４１８４４号公報
【特許文献５】特公平５−６２７１６号公報
【特許文献６】特開２００７−３１５９９５号公報
【発明の概要】
【発明が解決しようとする課題】
【０００５】  しかしながら、ただし、これらの方法では除去された放射性物質を含む二次廃棄物が大量に発生するため、その処理がさらに必要になる。そこで、レーザー光で除染対象試料（被汚染試料）表面を照射することによって放射性物質を昇華させて除去する技術が提案されている（特許文献６参照。）。しかしながら、これらいずれの方法も被曝した対象物の表層部分の除染を行うに過ぎず、放射線自体を実質的に減衰させるものではない。したがって、原子力発電プラントの事故や原子力爆弾の爆破により飛散した放射線を浴びた土壌や生物の被爆放射線を実質的に削減するものではない。【０００６】  先ず、本発明者は、地球自体が磁性体であり、その自転により交番磁束が発生し、地磁気に反応する羅針盤的機能を持ち合わせていることに着目した。【０００７】  そして、磁石の特性であるＮ極とＳ極の磁場を交互に反復して発生させ、被曝物質の存在する雰囲気内に、Ｎ、Ｓの交互磁場を造り出すことにより、地球磁場環境を極めて短時間に著しい速度で付与し、交番磁束を透過させることにより、放射性物質の改変・崩壊或いは半減期が短縮されるものと予測した。【０００８】  本発明は上記のような従来技術の課題に鑑み、安全且つ経済的な放射線除染装置を提供することを目的とするものである。
【課題を解決するための手段】
【０００９】  この目的を達成するため、本発明の永久磁石を用いた放射性汚染物の除染装置は、土壌等の放射性汚染物（以下、被曝試料という）に、Ｎ、Ｓの交互磁場を創出するために複数の永久磁石からなる電磁誘導体を備えた回転体と、当該回転体を回動するモーターとから構成したことを特徴とする。【００１０】  また、その装置は、複数の永久磁石をＮ極、Ｓ極が同位相又は交互位相になるように平盤状に配置してなることを特徴とする。【００１１】  そして、本発明に係る放射性汚染物の除染装置の駆動エネルギーは、商用電源又は太陽光発電、水力発電、風力発電等の自然エネルギー利用電源を用いることができる。【００１２】  さらに、平盤状回転体に近接して配されると共に、下端が地中に埋設された電磁誘導体を設けることを特徴とする。
【発明の効果】
【００１３】  本発明の交磁式除染装置は、以下の優れた効果がある。
（１）本装置で創出した交番磁界及びパルス磁界により、被曝試料の放射線量を減衰することができる。
（２）使用する電力は回転体の回動にのみ使用するものであり、電力消費量が少なくて済みランニングコストが小さくて済む。
（３）平盤状回転体に永久磁石を配置し、回転させるだけの簡単な構造なので、人体にも無害で、故障し難く、メンテナンスもし易い。
【図面の簡単な説明】
【図１】本発明に係る除染装置の一実施例を示す斜視図である。
【図２】回転体内の永久磁石の配置例を示す（Ａ）は平面図、（Ｂ）は側面図である。
【図３】本発明に係る放射線除染装置の他の実施例を示す斜視図である。
【発明を実施するための最良の形態】
【００１４】  本発明では、強力な磁力を有する永久磁石を配置した平盤状回転体を高速回転させることによって、被曝試料内（例えば、土壌）の雰囲気中にＮ、Ｓの交互磁場を造り出すことができる。【００１５】  永久磁石としては、例えば、ネオジウム系磁石、サマリウム系磁石などの表面３０００ガウス以上の永久磁石を使用するのが好ましい。永久磁石は数１００ｒｐｍ以上で回転させる。
【実施例】
【００１６】  図１は本発明に係る放射線除染装置の一実施例を示す斜視図、図２は回転体内の永久磁石の配置例を示す（Ａ）は平面図、（Ｂ）は側面図である。【００１７】  本発明の交磁場式放射線除染装置は、平盤状の回転体１と、この回転体１に回転軸２ａを介して連結されたモータ２とから成り、回転体１の内部には、複数の永久磁石１ａを任意の間隔をおいて固定されている。【００１８】  永久磁石１ａは回転体１の円周に沿って等間隔に配置する。磁石１ａは、それぞれＮ極とＳ極とが交互に位置するように配置しても良いし、同極同士が隣接するように配置しても良い。配置する個数も任意である。回転体１は、モータ２に連結された回転軸２ａにより高速回転する。尚、本実施例においてモータ２の電源は商用電源３としたが、太陽光、水力、風力等の自然界のエネルギーを用いて電源とすることが有益なことは言うまでもない。【００１９】［実験例１］
栃木県所在の田中電気研究所にて福島原発事故による被爆土壌の放射線除去実験を行なった。実験条件と結果を下記に示す。
土壌採集地：栃木県
土壌採集日：平成２３年６月４日【００２０】  当初１．２００μＳ（マイクロシーベルト）／時の放射量を示した被爆土壌軾験体が、本装置稼働３０分経過後に測定すると、０．８４μＳ／時という著しい減衰効果が得られた。【００２１】［実験例２］
土壌採集地：宮崎県
土壌採集日：平成２３年７月７日【００２２】  当初０．８１０μＳ／時の放射量を示した被爆土壌試験体が、本装置稼働１０分経過後に測定すると、０．３９６μＳ／時という減衰効果が得られた。【００２３】  以上、本発明装置の稼働により、土壌の放射線量が短時間で著しく減衰されるという顕著な効果が見られた。尚、電磁誘導体４を直接地表に埋設すると、より高い効果が得られるものと推測できる。【００２４】  図３は、本装置をコンパクト化したもので、パンチングメタル板で作製した筒本体５ｂ内にモータ２と回転体１を収納し、上蓋５ａを被せた本体カバー５を備え、コ字型架台６に傾動自在に取り付けたものである。
【産業上の利用可能性】
【００２５】  本発明装置は、とくに、被爆土壌における放射線除染装置として、実用性が高く極めて有用である。
【符号の説明】
【００２６】１  回転体
１ａ永久磁石
２  モータ
２ａモータの回転軸
３  商用電源又は自然エネルギー利用電源
４  電磁誘導体（金属棒又は円盤）
５  本体カバー
５ａ蓋
５ｂ筒体
６  架台
【図１】
2013044741.tif 000003
【図２】
2013044741.tif 000004
【図３】
2013044741.tif 000005